(57)【要約】【課題】メチロバクテリウムの数が少ない水を無駄にすることなく、洗い場床面に残留する有機物の量を低減させることが可能な浴室洗浄装置を提供すること。【解決手段】浴室の洗い場床面に水道水を吐水して洗い場床面上に付着した有機物を除去する有機物除去工程と、水道水を改質することによって水道水中に含まれるメチロバクテリウムの数を低減させた改質水を吐水して、洗い場床面上に残留する水道水を改質水に置換するための置換工程とを実行可能な制御装置を備え、制御装置は、有機物除去工程のみを実行する第１のモードと、有機物除去工程を実行した後、置換工程を実行する第２のモードとを有する。【選択図】図７
2018047045.tif 000002
【特許請求の範囲】
【請求項１】
浴室の洗い場床面に水道水を吐水して前記洗い場床面上に付着した有機物を除去する有機物除去工程と、
水道水を改質することによって水道水中に含まれるメチロバクテリウムの数を低減させた改質水を吐水して、前記洗い場床面上に残留する水道水を前記改質水に置換するための置換工程と、
を実行可能な制御装置を備え、
前記制御装置は、
前記有機物除去工程のみを実行する第１のモードと、
前記有機物除去工程を実行した後、前記置換工程を実行する第２のモードと、
を有することを特徴とする浴室洗浄装置。
【請求項２】
前記第１のモードは、
前記水道水の吐水時間が短い短時間モードと、
前記短時間モードよりも前記水道水の吐水時間が長い長時間モードと、
を有することを特徴とする請求項１記載の浴室洗浄装置。
【発明の詳細な説明】
【技術分野】
【０００１】
本発明は、浴室洗浄装置に関する。
【背景技術】
【０００２】
従来より、水道水を洗い場床に供給して洗い場床面上の有機物を除去した後、殺菌水を洗い場床へ供給することで、洗い場床の汚れの発生を効果的に抑制する浴室洗浄装置が知られている（例えば特許文献１）。
【先行技術文献】
【特許文献】
【０００３】
【特許文献１】特開２００８−１６８２３１号公報
【発明の概要】
【発明が解決しようとする課題】
【０００４】
洗い場床の汚れをより確実に抑制するためには、殺菌能力の非常に高い殺菌水を利用すればよいが、人が利用する浴室にてそのような殺菌能力の非常に高い殺菌水を使用することは好ましくない。そこで、そのような殺菌水を利用することなく洗い場床の汚れをより確実に防止するために鋭意検討を行った。その結果、洗い場床の汚れには黒カビとピンク汚れがあり、黒カビを抑制するためには黒カビの栄養源である角質などの有機物を洗い場床から除去することが非常に効果的であり、一方、ピンク汚れを抑制するためには、栄養源である有機物を洗い場床から除去するだけでは効果が不十分であり、それに加え、洗い場床に存在するメチロバクテリウムの数を減少させることが非常に高い効果を生むとの知見を得た。
【０００５】
また、黒カビは空気中に浮遊するカビ菌が洗い場床面に付着することで発生することが多いのに対して、メチロバクテリウムは水道水中に含まれていることが多いため、洗い場床面上に水道水を供給した直後の状態では、メチロバクテリウムを含む水が洗い場床面上に多量に残留した状態となってしまうとの新たな知見も得ることができた。
【０００６】
したがって、特にピンク汚れの抑制には、有機物を洗い流すために洗い場床に水道水を供給した後、水道水よりもメチロバクテリウムの数が少ない水を洗い場床に供給して、洗い場床上に残留する水道水を、水道水よりもメチロバクテリウムの数が少ない水に置換させることが有効であることが分かった。したがって、そのような浴室洗浄モードを設けることが望ましい。
【０００７】
ここで、１日の中で、浴室は特に夜の時間帯に複数人が順番に入れ替わりで使用されることが多い。各使用者が使用後にその都度、メチロバクテリウムの数が少ない水を用いた上記洗浄モードを実行した場合には、その日の最後の使用者による実行以外は、次の使用者の浴室の使用によってメチロバクテリウムの数が少ない水が洗い場床から流れ去ってしまう。そのため、最後の使用者以外の使用者がその使用の都度、メチロバクテリウムの数が少ない水を洗い場床に供給してもあまり意味がなく、メチロバクテリウムの数が少ない水が無駄になってしまう。
【０００８】
一方、最後の使用者のみが上記洗浄モードを実行した場合、各使用者の使用後に洗い場床上に残った角質等の有機物は、次の使用者が浴室を使用するまでの間に乾燥して洗い場床に固着し、使用者の使用ごとにその固着有機物が洗い場床面上に蓄積してしまうため、最後の使用者が浴室を使用し終わった後、上記洗浄モードを実行しても、蓄積した固着有機物を除去しづらく、洗浄モード完了後に多くの有機物が残留してしまう恐れがある。これでは、浴室を使用しない時間帯に黒カビ等の汚れが発生しやすくなってしまう。
【０００９】
本発明は、メチロバクテリウムの数が少ない水を無駄にすることなく、洗い場床面に残留する有機物の量を低減させることが可能な浴室洗浄装置を提供することを目的とする。
【課題を解決するための手段】
【００１０】
第１の発明の浴室洗浄装置は、浴室の洗い場床面に水道水を吐水して前記洗い場床面上に付着した有機物を除去する有機物除去工程と、水道水を改質することによって水道水中に含まれるメチロバクテリウムの数を低減させた改質水を吐水して、前記洗い場床面上に残留する水道水を前記改質水に置換するための置換工程と、を実行可能な制御装置を備え、前記制御装置は、前記有機物除去工程のみを実行する第１のモードと、前記有機物除去工程を実行した後、前記置換工程を実行する第２のモードと、を有することを特徴としている。  
第１の発明によれば、複数の使用者が順番に入れ替わりで浴室を使用する場合、例えば最後の使用者以外の使用者は、浴室の使用後、第２のモードを実行せずに、第１のモードのみ（有機物除去工程のみ）を実行することができる。その場合、メチロバクテリウムの数を低減させた改質水は洗い場床に吐水されない。したがって、次の使用者の浴室の使用によって、上記改質水が洗い場床面上から流れ去ってしまうということがなく、改質水を無駄にしない。  
一方、最後の使用者以外の使用者の使用ごとに第１のモードを実行することで、前の使用者の使用で洗い場床上に残った角質等の有機物は洗い流され、次の使用者が浴室を使用するまでの間に乾燥して洗い場床に固着してしまうことを抑制できる。したがって、最後の使用者が浴室を使用し終わった後の第２のモードの実行時には、洗い場床面上には蓄積した固着有機物が少なく、第２のモードの完了後に洗い場床に残留する有機物の量を低減させることができる。したがって、最後の使用者の使用後に洗い場床に残留する有機物により黒カビ等が増殖して汚れが発生してしまうことを抑制することができる。  
第２の発明は、第１の発明において、前記第１のモードは、前記水道水の吐水時間が短い短時間モードと、前記短時間モードよりも前記水道水の吐水時間が長い長時間モードと、を有することを特徴とする。  
第２の発明によれば、複数の浴室使用者の使用間隔に応じて有機物除去工程の完了時間を選択できる。短時間モードを選択したときには、次の使用者に待ち時間を生じさせることを抑制しつつ、残留する有機物の量を低減させることができる。長時間モードを選択したときには、念入りに洗い場床を洗浄でき、残留する有機物の量をより効果的に低減できる。
【発明の効果】
【００１１】
本発明の浴室洗浄装置によれば、メチロバクテリウムの数が少ない水を無駄にすることなく、洗い場床の汚れ、特に黒カビおよびピンク汚れの発生を効果的に抑制できる。
【図面の簡単な説明】
【００１２】
【図１】実施形態の浴室洗浄装置の全体構成を示すシステムブロック図。
【図２】実施形態の浴室洗浄装置が設置された浴室の模式斜視図。
【図３】実施形態の浴室洗浄装置における吐水部の斜視図。
【図４】実施形態の浴室洗浄装置の操作部の正面図。
【図５】実施形態の浴室洗浄装置によって実行される第１のモードのフローチャート。
【図６】実施形態の浴室洗浄装置によって実行される第２のモードのフローチャート。
【図７】実施形態の浴室洗浄装置の使用例のフローチャート。
【図８】実施形態の浴室洗浄装置の吐水部の動作例を示す模式図。
【図９】実施形態の浴室洗浄装置による洗い場床の洗浄の仕方を示す模式図。
【図１０】（ａ）は実施形態の第１のモードの短時間モードのタイミングチャートであり、（ｂ）は実施形態の第１のモードの長時間モードのタイミングチャート。
【発明を実施するための形態】
【００１３】
以下、添付図面を参照しながら本発明の実施の形態について説明する。説明の理解を容易にするため、各図面において同一の構成要素に対しては可能な限り同一の符号を付して、重複する説明は省略する。
【００１４】
図１は、実施形態の浴室洗浄装置１の全体構成を示すシステムブロック図である。
【００１５】
実施形態の浴室洗浄装置１は、電源３０と、制御装置４０と、操作部３５と、機能ユニット１００とを備えている。機能ユニット１００は浴室のカウンターに設置される。
【００１６】
図２（ａ）は、浴室洗浄装置１が設置された浴室５００の模式斜視図である。  
図２（ｂ）は、浴室５００におけるカウンター５３０の近傍を拡大した模式斜視図である。
【００１７】
図２（ａ）に示すように、浴室５００は、４つの壁５４１〜５４４と天井５４５に囲まれている。その浴室５００内に、浴槽５１０、洗い場床５２０、およびカウンター５３０が設けられている。さらに、浴室５００には、鏡、水栓装置、ハンドシャワーなどが適宜設けられている。
【００１８】
浴槽５１０の一対の短辺側に、第１の壁５４１と第２の壁５４２が互いに対向して設けられている。浴槽５１０の一方の長辺側に第４の壁５４４が設けられている。その第４の壁５４４に対向して、洗い場床５２０側に第３の壁５４３が設けられている。
【００１９】
洗い場床５２０には排水口５２１が設けられている。図２（ａ）に示す例では、排水口５２１は、洗い場床５２０の浴槽５１０側の縁部近傍で、洗い場床５２０の長手方向の略中央に位置している。
【００２０】
洗い場床５２０の床面には、第１の壁５４１側の縁部、第２の壁５４２側の縁部、および第３の壁５４３側の縁部から、排水口５２１へと向かう緩やかな下り傾斜（排水勾配）が設けられている。
【００２１】
カウンター５３０、鏡、水栓装置、およびハンドシャワーは、例えば、第２の壁５４２に取り付けられている。
【００２２】
カウンター５３０は、洗い場床５２０の床面から上方に離間して設置されている。カウンター５３０は、上方から見たときに、横方向（洗い場床５２０の短辺方向）に沿った長辺をもつ略矩形状の形状を有する。
【００２３】
カウンター５３０は、天板５３１と、天板５３１の下方を覆うカバー５３２とを有する。図１に示す浴室洗浄装置１の機能ユニット１００は一部の要素（止水栓５０、吐水部１０）を除いて、天板５３１とカバー５３２で囲まれたカウンター５３０の内部に収容されている。
【００２４】
吐水部（ノズル部）１０は、図２（ｂ）に示すように、カウンター５３０の下方に突出するように設けられている。吐水部１０は、洗い場床５２０の床面から離間している。また、吐水部１０は、カウンター５３０の横幅方向における中央付近に設置されている。すなわち、吐水部１０は、洗い場床５２０の長手方向の一端側であって且つ短辺方向の中央付近に設置されている。この位置での後述する吐水部１０の回転動作により、水道水等を洗い場床５２０の略全体に吐水しやすくなる。
【００２５】
図１に示す止水栓５０は水道水が供給される給水管と接続される。その止水栓５０は、ストレーナ５１と接続されている。ストレーナ５１の下流側は定流量弁５２に接続され、その定流量弁５２の下流側は、２つのホース６１、６２に分岐している。
【００２６】
一方のホース６１には電磁弁５３が設けられ、その電磁弁５３の下流側は吐水部１０の第１の吐水口１１につながっている。また、例えば寒冷地などでは、電磁弁５３と吐水部１０との間に必要に応じて水抜弁５４が接続される。
【００２７】
他方のホース６２には、上流側から順に、ストレーナ５５、電磁弁５６、調圧弁５７、逆止弁５９、制菌水生成部２０、ストレーナ６５、および吐水部１０の第２の吐水口１２が接続されている。また、調圧弁５７と逆止弁５９との間に安全弁５８が接続されている。
【００２８】
また、機能ユニット１００は、吐水部１０を回転（旋回）動作させるモーター（例えばステッピングモーター）６６を有する。このモーター６６も、カウンター５３０の内部に収容されている。
【００２９】
制御装置４０は、電磁弁５３、電磁弁５６、制菌水生成部２０、およびモーター６６の動作を制御する。電源３０はそれらに電力を供給する。また、電源３０は操作部３５に電力を供給する。電源３０は、例えば浴室５００の天井５４５の裏に設置される。制御装置４０は、カウンター５３０の内部、または浴室５００の天井５４５の裏に設置される。
【００３０】
電磁弁５３は制御装置４０の制御によって開閉される。電磁弁５３が開くと、水道水が、洗浄水として第１の吐水口１１から吐水される。電磁弁５３が閉じると、第１の吐水口１１から洗浄水は吐水されない。
【００３１】
電磁弁５６は制御装置４０の制御によって開閉される。電磁弁５６が開くと、水道水が制菌水生成部２０に供給され、その制菌水生成部２０で生成された制菌水が第２の吐水口１２から吐水される。電磁弁５６が閉じると、第２の吐水口１２から制菌水は吐水されない。
【００３２】
調圧弁５７による水道水の圧力制御により、制菌水生成部２０に供給される水道水の流量が調整される。制菌水生成部２０に供給される水道水の流量調整により、第２の吐水口１２から吐水される制菌水の流量が調整される。
【００３３】
また、電磁弁５３、５６によって、その下流側に供給される水道水の流量を調整することができる。
【００３４】
制菌水生成部２０は制菌水を生成する。ここで、制菌水は、殺菌能力をもつ、または菌の繁殖を抑える能力をもつ。制菌水生成部２０は、例えば陽極と陰極とを有する電解槽である。それら陽極と陰極との間に電圧を印加して、陽極と陰極との間を流れる水道水を電気分解することで、水道水は制菌水に変性する。
【００３５】
また、水道水は塩化物イオンを含んでいるため、その塩化物イオンを電気分解することによって、次亜塩素酸が生成される。したがって、制菌水は、例えば次亜塩素酸を含む水である。
【００３６】
水道水に含まれるメチロバクテリウムは、電気分解によって生成された上記次亜塩素酸含有水によって、電解槽内で死滅する。したがって、制菌水は、水道水を改質することによって水道水中に含まれる生きたメチロバクテリウムの数を低減させた（数がゼロも含む）改質水である。すなわち、改質水は、単位体積あたりに含まれるメチロバクテリウムの平均的な数を水道水よりも少なくした水（数がゼロの水も含む）である。
【００３７】
制菌水は、例えば、銀イオン、銅イオン、亜鉛イオンなどの金属イオンを含む金属イオン水、またはオゾンを含む水であってもよい。例えば、水道水が電気分解される際、陰極においては酸（Ｈ＋）が消費され、陰極の近傍ではｐＨが上昇する。すなわち、陰極の近傍では、アルカリ水が生成される。一方、陽極においてはアルカリ（ＯＨ−）が消費され、陽極の近傍ではｐＨが下降する。すなわち、陽極の近傍では、酸性水が生成される。制菌水生成部２０における流量を変化させることで、制菌水に含まれる成分の濃度を制御することができる。
【００３８】
なお、改質水生成部でもある制菌水生成部２０は電解槽をもつ構成に限らず、例えば殺菌剤や除菌剤を水道水に溶解させて制菌水（改質水）を生成してもよい。このとき、水道水に含まれるメチロバクテリウムは殺菌剤または除菌剤により死滅し、第２の吐水口１２にはメチロバクテリウムの数を低減させ、殺菌剤または除菌剤を含む水が供給される。または、改質水生成部（制菌水生成部）２０は、紫外線照射、煮沸、フィルターなどでメチロバクテリウムの数を低減させる構成であってもよい。また、水道水が溜められたタンクに使用者が殺菌剤や除菌剤を投入することで改質水を生成する形態であってもよい。この場合、ポンプ等を使って改質水を吐水するように構成してもよい。
【００３９】
制御装置４０は、操作部３５の操作指令（電気信号）に応じて、後述する第１のモードまたは第２のモードを実行する。
【００４０】
図４は、操作部３５の正面図である。
【００４１】
操作部３５は浴室５００の外部に設置される。操作部３５は、例えば浴室５００の隣の洗面室（脱衣室）に設置される。または、操作部３５は浴室５００内に設置してもよい。
【００４２】
操作部３５は、停止ボタン７１と、２つの洗浄ボタン７２、７３を有する。洗浄ボタン７２が押されると第１のモードが実行され、洗浄ボタン７３が実行されると第２のモードが実行される。第１のモードまたは第２のモードの実行中に停止ボタン７１が押されると、第１のモードまたは第２のモードの実行が停止される。
【００４３】
洗浄ボタン７２が押され第１のモードが実行されると、その洗浄ボタン７２の横に設けられた点灯部７４が点灯する。洗浄ボタン７３が押され第２のモードが実行されると、その洗浄ボタン７３の横に設けられた点灯部７５が点灯する。
【００４４】
図３は、吐水部１０の斜視図である。
【００４５】
吐水部１０は、円筒状に形成され、その下部側面に第１の吐水口１１と第２の吐水口１２が設けられている。第１の吐水口１１および第２の吐水口１２は、それぞれ、縦長のスリット状に形成されている。
【００４６】
第１の吐水口１１と第２の吐水口１２は、円筒状の吐水部１０の周方向に並んでいる。または、第１の吐水口１１と第２の吐水口１２を高さ方向に並んで配置してもよい。
【００４７】
第１の吐水口１１からは水道水が洗い場床５２０に吐水される。第２の吐水口１２からはメチロバクテリウムの数を低減させた制菌水（改質水）が洗い場床５２０に吐水される。円筒状の吐水部１０内に水道水または制菌水を一時的に貯留することができ、吐水圧力を上昇させることができる。
【００４８】
縦長の第１の吐水口１１から、図３において実線矢印で表すように、縦方向（上下方向）に扇状に広がった水道水を吐水することができる。同じく縦長の第２の吐水口１２から、図３において破線矢印で表すように、縦方向（上下方向）に扇状に広がった制菌水を吐水することができる。
【００４９】
前述したモーター６６の駆動により、円筒状の吐水部１０をその中心軸（図３において１点鎖線で示す）のまわりに回転させ、水道水や制菌水が吐出される方向を変化させることができる。
【００５０】
以上説明した実施形態の浴室洗浄装置１は、第１のモードと第２のモードを実行する。第１のモードおよび第２のモードは同時には実行されず、図４に示す操作部３５の洗浄ボタン７２または洗浄ボタン７３の操作により、第１のモードおよび第２のモードのいずれか一方のみが択一的に実行される。
【００５１】
第１のモードは有機物除去工程のみを実行する。この有機物除去工程は、第１の吐水口１１から浴室の洗い場床面の略全体に水道水を吐水して、洗い場床面上に付着した角質（タンパク質）等の有機物を除去する工程である。
【００５２】
第２のモードは、水道水の吐水による有機物除去工程を実行し、且つその有機物除去工程を実行した後、置換工程を実行する。この置換工程は、第２の吐水口１２から洗い場床面にメチロバクテリウムの数を低減させた水を吐水する工程である。この置換工程の実行前の洗い場床面上には、置換工程の前に実行された有機物除去工程で吐水された水道水、すなわちメチロバクテリウムを多く含む水が残留している。置換工程は、水道水中に含まれるメチロバクテリウムの数を低減させた改質水を洗い場床面に吐水して、洗い場床面上に残留する水道水をメチロバクテリウムの数を低減させた改質水に置換する工程である。
【００５３】
図５は、第１のモードのフローチャートである。
【００５４】
図４に示す洗浄ボタン７２の操作により、第１のモードがスタートする。まず、第１の吐水口１１が所定の方向を向く位置（待機位置または吐水開始位置）にない場合には、原点出しをする。すなわち、第１の吐水口１１から水道水は吐出せずに、且つ第２の吐水口１２からも制菌水（改質水）は吐水せずに、吐水部１０を回転させ、第１の吐水口１１を待機位置に移動させる。なお、第１の吐水口１１の原点出しのとき、同時に第２の吐水口１２の原点出しも行われることになる。逆に言えば、第２の吐水口１２の原点出しのとき、同時に第１の吐水口１１の原点出しも行われることになる。
【００５５】
原点出しの後、第１の吐水口１１から水道水を吐出しつつ、吐水部１０を回転させて、洗い場床の床面の略全体を水道水で洗浄する。また、この水道水の吐水工程が完了した後に、上記原点出しを行ってもよい。
【００５６】
この第１のモードの実行により、洗い場床の床面上に残留している角質等の有機物が、第１の吐水口１１から吐水される水道水の勢い、および着水後に床面を排水口に向かって流れる水道水の流れに乗って、排水口へと運ばれ床面上から排除される。
【００５７】
洗い場床の床面から角質等の有機物が除去されることで、それを主な栄養源とするメチロバクテリウムの繁殖を抑制することができ、さらにメチロバクテリウムを原因とする洗い場床のピンク汚れを抑制することができる。また、有機物を栄養源とするカビ菌などのその他の微生物の繁殖も抑制することができる。
【００５８】
第１のモードでは、この水道水による有機物除去工程のみが行われ、メチロバクテリウムの数を低減させた改質水（制菌水）を用いた置換工程は行われない。
【００５９】
なお、この第１のモードでは、角質に限らず、床面上に残留している石けんかす、シャンプー残り、髪の毛なども排水口に洗い流すことができる。
【００６０】
図６は、第２のモードのフローチャートである。
【００６１】
図４に示す洗浄ボタン７３の操作により、第２のモードがスタートする。まずは、上記第１モードと同様に、水道水を第１の吐水口１１から吐出して有機物除去工程が行われる。
【００６２】
そして、この有機物除去工程の後（水道水の吐水が完了した後）、上記置換工程が行われる。
【００６３】
まず、第２の吐水口１２が所定の方向を向く位置（待機位置または吐水開始位置）にない場合には、原点出しをする。すなわち、第２の吐水口１２から制菌水（改質水）は吐出せずに、且つ第１の吐水口１１からも水道水は吐水せずに、吐水部１０を回転させ、第２の吐水口１２を待機位置に移動させる。
【００６４】
そして、第２の吐水口１２からメチロバクテリウムの数を低減させた改質水として例えば上記制菌水を吐出しつつ、吐水部１０を回転させて、メチロバクテリウムの数を低減させた改質水（制菌水）を洗い場床の床面の略全体に供給する。また、このメチロバクテリウムの数を低減させた改質水の吐水工程が完了した後に、上記原点出しを行ってもよい。
【００６５】
この第２のモードにおける水道水を用いた有機物除去工程の実行により、上記第１モードと同様に、洗い場床の床面から角質等の有機物が除去され、メチロバクテリウムや黒カビの繁殖を抑制できる。したがって、洗い場床の黒カビやピンク汚れを抑制することができる。
【００６６】
さらに、第２のモードでは、有機物除去工程の後に、メチロバクテリウムの数を低減させた改質水（制菌水）を洗い場床面に吐水して、洗い場床面上に残留する水道水を排水口へと洗い流して、洗い場床面上に残る水道水をメチロバクテリウムの数を低減させた改質水に置換することができる。
【００６７】
有機物除去工程で使われる水道水はメチロバクテリウムを多く含むが、その水道水が床面上から洗い流され、床面上の残水をメチロバクテリウムの数を低減させた改質水に置換することができる。したがって、第２のモードの実行後には、洗い場床の床面上には有機物がなく、さらにメチロバクテリウムも存在しない、または数が少ない。このため、第２のモードの実行は、第１モードの実行よりも、ピンク汚れの発生防止に高い効果を与える。
【００６８】
図７は、実施形態の浴室洗浄装置１の使用例のフローチャートである。
【００６９】
図７に示す例は、例えば４人が同じ日にまたは２４時間以内に、順番に入れ替わりで浴室を使用する例を表す。
【００７０】
１人目が浴室を使用した後、その１人目は第１のモードを選択し実行する。この後、２人目が浴室を使用する。２人目が浴室を使用した後、その２人目は第１のモードを選択し実行する。この後、３人目が浴室を使用する。３人目が浴室を使用した後、その３人目は第１のモードを選択し実行する。この後、４人目（最後の使用者）が浴室を使用する。そして、４人目は浴室を使用した後、第２のモードを選択し実行する。
【００７１】
最後の使用者（４人目）以外の１〜３人目の使用者は、浴室の使用後、第１のモードを実行し、第２のモードは実行しない。したがって、メチロバクテリウムの数を低減させた改質水（制菌水）は洗い場床に吐水されない。したがって、次の使用者の浴室の使用によって、メチロバクテリウムの数を低減させた改質水（制菌水）が洗い場床面上から流れ去ってしまうということがそもそもなく、メチロバクテリウムの数を低減させた改質水を無駄にしない。
【００７２】
しかし、１〜３人目の使用者の使用ごとに第１のモードは実行されるので、前の使用者の使用で洗い場床上に残った角質等の有機物は洗い流され、次の使用者が浴室を使用するまでの間に乾燥して洗い場床に固着してしまうことを抑制することができる。したがって、最後の４人目の使用者が浴室を使用し終わった後の第２のモードの実行時には、洗い場床面上には蓄積した固着有機物が少なく、第２のモードの完了後に洗い場床に残留する有機物の量を低減させることができる。したがって、最後の使用者の使用後に洗い場床に残留する有機物により黒カビ等が増殖して汚れが発生してしまうことを抑制することができる。
【００７３】
さらに、１〜３人目の使用者の使用の都度、有機物は洗い場床面上から洗い流されるので、次の使用者が使用するまでの間における黒カビやメチロバクテリウムの繁殖を抑制することができる。
【００７４】
最後の４人目の使用者が使用した後、例えば次の日に１人目の使用者が使用するまでの間は長い時間が空く。そこで、最後の使用者のみ第２のモードを実行することで、洗い場床面上に有機物およびメチロバクテリウムが存在しないまたは数が少ない状態にすることができ、次の日の使用までの長時間の間の特にピンク汚れの発生の抑制効果を高めることができる。
【００７５】
また、１〜３人目がそれぞれ使用した後、図１に示す制菌水生成部２０は動作させないので、ランニングコストを抑えることができ、また、例えば電気分解装置の場合には陽極、陰極などの長寿命化が図れる。
【００７６】
図７には４人の使用例を示したが、２人、３人、５人以上についても、最後の使用者のみが第２のモードを実行し、最後の使用者以外の使用者は第１のモードを実行することで、前述した効果を得ることができる。
【００７７】
図８（ａ）〜（ｅ）は、吐水部１０の回転動作例を示す模式図である。  
図９（ａ）および（ｂ）は、その吐水部１０の回転動作による洗い場床５２０の洗浄の仕方を示す模式図である。
【００７８】
図９（ａ）および（ｂ）は、吐水部１０が設けられたカウンター５３０（図２（ａ）、（ｂ）に示す）から前方を見て、洗い場床５２０における左側の縁部５２０ｄ近傍に排水口５２１が位置するレイアウトを示す。
【００７９】
図８（ａ）に示す待機位置では、吐水口１１、１２は、カウンター５３０の後方の壁５４２に対して真正面から向き合う位置（角度０°）を基準にして、反時計方向に角度θ１回転移動した位置で、後方の壁５４２を向いている。θ１は４５°より小さい。
【００８０】
第１のモードでは、第１の吐水口１１は水道水を吐水しながら、吐水部１０の反時計方向の回転により、待機位置（角度θ１）から、図８（ｂ）に示す角度θ２の位置および１８０°の位置を経て、角度θ３の位置まで移動する。θ２は、９０°より大きく、１８０°より小さい。θ３は、１８０°より大きく、２７０°より小さい。
【００８１】
この吐水口１１のθ１の位置からθ３の位置への回転移動により、その吐水口１１から吐水される水道水によって、洗い場床５２０において図９（ａ）で斜線ハッチングで表す領域が洗浄され、その領面上の有機物が排水口５２１に向けて洗い流される。
【００８２】
吐水口１１が、θ２の位置から１８０°の位置まで移動する時間、および１８０°の位置からθ３の位置まで移動する時間は、θ１の位置からθ２の位置まで移動する時間よりも長い。さらに、吐水口１１が、θ２の位置から１８０°の位置まで移動する時間は、１８０°の位置からθ３の位置まで移動する時間よりも長い。これは、吐水部１０の角速度の制御により調整される。
【００８３】
このように、洗い場床５２０において吐水部１０から遠く、水道水が直接届きにくい、または水勢が弱くなりやすい領域を相対的にゆっくりと時間をかけて洗浄することで、その領域における有機物の流し損じを防いで、洗い場床５２０の床面全体を効率的に洗浄することができる。
【００８４】
なお、洗い場床５２０において吐水部１０の後方の領域、および吐水部１０から最も遠い縁部５２０ｃ近傍の領域は、後方の壁５４２やその壁に対向する壁５４１に着水し、それら壁５４２、５４１を伝って床面に流れる流水によって洗い流すことができる。
【００８５】
吐水部１０をθ３の位置まで回転させて洗浄した後、吐水口１１からの水道水の吐水を一旦停止して、図８（ｃ）に示すθ４の位置まで吐水口１１を回転移動させる。θ４は、２７０°より大きく３６０°より小さい。
【００８６】
このとき、吐水口１１は洗い場床５２０に対して吐水洗浄を実施しておらず、次の吐水開始点への単なる移動である。そのため吐水口１１は高速でθ３の位置からθ４の位置まで移動する。
【００８７】
したがって、吐水口１１が、θ３の位置からθ４の位置まで移動する時間は、θ１の位置からθ２の位置まで移動する時間、θ２の位置から１８０°の位置まで移動する時間、および１８０°の位置からθ３の位置まで移動する時間よりも短い。
【００８８】
そして、吐水部１０が時計方向に回転して、吐水口１１は水道水を吐水しながら、角度θ４の位置から、図８（ｄ）に示す角度１８０°の位置まで移動する。このときの移動時間は、角度θ１の位置から角度θ２の位置まで移動するときの移動時間と同程度である。または、吐水口１１は水道水を吐水しながら、角度θ４の位置から上記θ３の位置まで移動して停止してもよい。
【００８９】
吐水口１１は、θ４の位置で、洗い場床５２０の縁部５２０ｄと５２０ａとのコーナー付近を向く。その位置から１８０°の位置（またはθ３の位置）への吐水口１１の回転移動により、その吐水口１１から吐水される水道水によって、洗い場床５２０において図９（ｂ）で斜線ハッチングで表す領域が洗浄される。排水口５２１よりも壁５２０ａ側の領域上の有機物を、時計方向に回転移動する吐水口１１から吐水される水道水で排水口５２１に向けて洗い流すことができる。
【００９０】
このようにして吐水部１０の回転による吐水工程が行われ、この吐水工程の完了後、図８（ｅ）に示すように、吐水口１１は１８０°の位置（またはθ３の位置）からθ１の位置（待機位置）に戻される。これは、図５、図６を参照して前述した原点出しの動作である。このとき、吐水口１１は、水道水を吐水しておらず、待機位置への単なる移動である。そのため吐水口１１は高速で１８０°の位置からθ１の位置まで移動する。この原点出しの移動時間は、前述したどの移動時間よりも短い。
【００９１】
なお、第２のモードについても、上記第１のモードと同様な吐水部１０の回転により、有機物除去工程および置換工程が行われる。
【００９２】
排水口５２１が、図９（ａ）および（ｂ）に示す縁部５２０ｄとは反対側の縁部５２０ｂの近傍に位置する場合には、吐水部１０の回転動作を表す図は、図８（ａ）〜（ｅ）を、０°位置と１８０°位置を結ぶ直線に関して線対称にした図となる。すなわち、上記例とは逆に、吐水部１０の時計方向の回転により、まず洗い場床５２０の縁部５２０ｄ側の領域から洗浄が開始され、その後、吐水部１０を反時計方向に回転させて、縁部５２０ｂと縁部５２０ａのコーナー付近の領域から洗浄を再開する。
【００９３】
また、実施形態によれば、第１のモードは、水道水の吐水時間が短い短時間モードと、この短時間モードよりも水道水の吐水時間が長い長時間モードとを有する。
【００９４】
図１０（ａ）は短時間モードのタイミングチャートであり、図１０（ｂ）は長時間モードのタイミングチャートである。
【００９５】
短時間モードにおける時間Ｔ１および長時間モードにおける時間Ｔ１’は、吐水口１１が図８（ａ）に示す待機位置（θ１の位置）から、図８（ｂ）に示すθ２の位置まで移動する時間を表す。短時間モードの時間Ｔ１は、長時間モードの時間Ｔ１’よりも短い。
【００９６】
短時間モードにおける時間Ｔ２および長時間モードにおける時間Ｔ２’は、吐水口１１が図８（ｂ）に示すθ２の位置から１８０°の位置まで移動する時間を表す。短時間モードの時間Ｔ２は、長時間モードの時間Ｔ２’よりも短い。
【００９７】
短時間モードにおける時間Ｔ３および長時間モードにおける時間Ｔ３’は、吐水口１１が図８（ｂ）に示す１８０°の位置からθ３の位置まで移動する時間を表す。短時間モードの時間Ｔ３は、長時間モードの時間Ｔ３’よりも短い。
【００９８】
短時間モードにおける時間Ｔ４および長時間モードにおける時間Ｔ４’は、吐水口１１が図８（ｃ）に示すθ３の位置からθ４の位置まで移動する時間を表す。短時間モードの時間Ｔ４は、長時間モードの時間Ｔ４’と同じか、Ｔ４’よりも短い。
【００９９】
短時間モードにおける時間Ｔ５および長時間モードにおける時間Ｔ５’は、吐水口１１が図８（ｄ）に示すθ４の位置から１８０°の位置まで移動する時間を表す。短時間モードの時間Ｔ５は、長時間モードの時間Ｔ５’よりも短い。
【０１００】
短時間モードにおける時間Ｔ６および長時間モードにおける時間Ｔ６’は、吐水口１１が図８（ｅ）に示す１８０°の位置からθ１の位置まで移動する時間を表す。短時間モードの時間Ｔ６は、長時間モードの時間Ｔ６’と同じである。
【０１０１】
短時間モードにおける吐水工程のトータルの時間（Ｔ１＋Ｔ２＋Ｔ３＋Ｔ５）は、長時間モードにおける吐水工程のトータルの時間（Ｔ１’＋Ｔ２’＋Ｔ３’＋Ｔ５’）よりも短い。
【０１０２】
短時間モードにおける原点出しなど吐水を伴わない工程も含めたトータルの時間Ｔは、長時間モードにおける原点出しなどの吐水を伴わない工程も含めたトータルの時間Ｔ’よりも短い。
【０１０３】
洗い場床面への有機物の固着をより確実に抑えるためには、水道水をより長い時間吐水することが望ましいが、長い時間吐水すると、次の使用者がすぐに浴室を使用したい場合、次の使用者の待ち時間が長くなってしまう。
【０１０４】
そこで、実施形態によれば、第１のモードに前述したような短時間モードと長時間モードを設けることで、複数の浴室使用者の使用間隔に応じて有機物除去工程の完了時間を選択できる。短時間モードを選択したときには、使用者に待ち時間を生じさせることを抑制しつつ、残留する有機物の量を低減させることができる。長時間モードを選択したときには、念入りに洗い場床を洗浄でき、残留する有機物の量をより効果的に低減できる。
【０１０５】
なお、第２のモードについても同様な短時間モードと長時間モードを設けることができる。
【０１０６】
また、短時間モードと長時間モードの切り替えは、例えば図４に示す操作部３５におけるボタン７１とボタン７３とを同時に３秒以上長押しすることで切り替えることができる。その切り替え操作直後に、例えば点灯部７４が点灯すると長時間モード、点灯部７５が点灯すると短時間モードというように、使用者はどちらのモードに切り替わったのかを確認することができる。あるいは、操作部３５に短時間モードと長時間モードを切り替える専用ボタンを設けてもよい。
【０１０７】
以上、具体例を参照しつつ本発明の実施形態について説明した。しかし、本発明は、それらに限定されるものではなく、本発明の技術的思想に基づいて種々の変形が可能である。
【符号の説明】
【０１０８】
１…浴室洗浄装置、１０…吐水部（ノズル部）、１１…第１の吐水口、１２…第２の吐水口、２０…制菌水生成部、３０…電源、３５…操作部、１００…浴室洗浄装置の機能ユニット、５００…浴室、５２０…洗い場床、５２１…排水口、５３０…カウンター
【図１】
2018047045.tif 000003
【図２】
2018047045.tif 000004
【図３】
2018047045.tif 000005
【図４】
2018047045.tif 000006
【図５】
2018047045.tif 000007
【図６】
2018047045.tif 000008
【図７】
2018047045.tif 000009
【図８】
2018047045.tif 000010
【図９】
2018047045.tif 000011
【図１０】
2018047045.tif 000012